(57)【要約】  本発明に係る無線通信装置は、他の通信装置にデータを送信する場合において、複数のアンテナの中から、より小さな送信電力でデータを送信できるアンテナを特定することを目的とするものである。  本発明に係る無線通信装置は、他の通信装置へ要求信号を送信するごとに第１アンテナと第２アンテナとを切り替えて、第１アンテナと第２アンテナとを切り換えるごとに、要求信号を送信するための送信電力を増加又は減少させることを特徴とする。
2014147954.tif 000002
【特許請求の範囲】
【請求項１】
他の通信装置と無線通信するための第１アンテナおよび第２アンテナと、
前記第１アンテナおよび前記第２アンテナのいずれか一方を介して前記他の通信装置に要求信号を送信する送信部と、
前記要求信号を前記他の通信装置が受信するに応じて前記他の通信装置から送信される応答信号を受信する受信部と、
前記送信部が前記要求信号を送信するごとに前記第１アンテナおよび前記第２アンテナを切り替えるアンテナ制御部と、
前記アンテナ制御部が前記第１アンテナおよび前記第２アンテナを切り換えるごとに、前記送信部が前記要求信号を送信するための送信電力を増加または減少させる送信制御部と、
を備える無線通信装置。
【請求項２】
前記送信制御部は、アンテナ制御部が前記第１アンテナおよび前記第２アンテナを切り替えるごとに、前記要求信号を送信するための送信電力を増加させる、
請求項１に記載の無線通信装置。
【請求項３】
前記送信制御部は、前記第１アンテナおよび前記第２アンテナのうちのいずれか一方のアンテナを介して第１の送信電力で前記送信要求を送信することにより前記受信部が前記応答信号を受信した場合、当該第１の送信電力よりも小さい電力であって、且つ、当該一方のアンテナを用いて前記要求信号を送信するために前回設定した送信電力よりも大きい電力である第２の送信電力を設定し、
前記送信部は当該一方のアンテナを用いて前記第２の送信電力で前記要求信号を送信する、
請求項２に記載の無線通信装置。
【請求項４】
前記受信部は、受信した前記応答信号の信号強度を検出し、
前記送信制御部は、前記信号強度が大きいほど前記第２の送信電力を小さく設定する、
請求項３に記載の無線通信装置。
【請求項５】
前記アンテナ制御部は、前記一方のアンテナを用いて前記応答信号を前記受信部が受信した後、前記送信部が前記要求信号を送信する場合に、前記他方のアンテナに切り替えずに連続して前記一方のアンテナを設定する、
請求項３または請求項４に記載の無線通信装置。
【請求項６】
前記送信制御部は、前記一方のアンテナを介して前記受信部が前記応答信号を受信できた場合、前記第１アンテナおよび前記第２アンテナのうちの前記応答信号をまだ受信していない他方のアンテナを使用したときに設定した直近の送信電力を前記第２の送信電力として設定する、
請求項３に記載の無線通信装置。
【請求項７】
前記送信部が前記１方のアンテナを介して前記第２の送信電力で前記要求信号を送信することにより、前記受信部が前記要求信号を受信できなかった場合、前記送信制御部は、前記他の通信装置との通信に使用する送信電力を前記第１の送信電力に設定し、
前記受信部が前記要求信号を受信できた場合、前記アンテナ制御部は、前記他の通信装置との通信に使用する送信電力を前記第２の送信電力に設定する、
請求項３または請求項４に記載の無線通信装置。
【請求項８】
前記送信制御部は、前記受信部が前記第１アンテナおよび前記第２アンテナを介して前記応答信号を受信できている間は、前記アンテナ制御部が前記第１アンテナおよび前記第２アンテナを切り替えるごとに、前記要求信号を送信するための送信電力を減少させる、
請求項１に記載の無線通信装置。
【請求項９】
前記送信制御部は、前記第１アンテナおよび前記第２アンテナのどちらのアンテナを使用しても前記受信部で前記応答信号を受信不可能になった場合、前記受信部で前記応答信号を受信可能であったときに最後に設定した送信電力を、前記他の通信装置との通信に用いる送信電力として決定する、
請求項８に記載の無線通信装置。
【請求項１０】
前記第１アンテナおよび前記第２アンテナのいずれか１方のアンテナを介して前記送信部が前記送信要求を送信して前記受信部で前記応答信号を受信できなくなった場合、前記送信部は、当該送信要求の送信時に用いた送信電力と同じ送信電力で、他方のアンテナを介して前記送信要求を送信し、前記受信部で前記応答信号が受信できなくなるまで、前記一方のアンテナに切り替えずに当該他方のアンテナを介して前記送信要求を送信し、前記他方のアンテナを介して前記送信要求を送信するごとに前記送信電力を下げる、
請求項９に記載の無線通信装置。
【請求項１１】
前記送信電力の初期値は、前記無線通信装置の施工登録時に設定した電力である、
請求項１〜４のいずれか１項に記載の無線通信装置。
【請求項１２】
前記送信電力の初期値は、前記無線通信装置が出力可能な最小電力である、
請求項２〜４のいずれか１項に記載の無線通信装置。
【請求項１３】
前記送信電力の初期値は、前記無線通信装置が出力可能な最大電力である、
請求項８〜１０のいずれか１項に記載の無線通信装置。
【請求項１４】
前記送信電力の初期値は、前記無線通信装置が出力可能な送信電力の中央値である、
請求項１に記載の無線通信装置。
【請求項１５】
前記送信制御部は、前記初期値の送信電力で前記要求信号が送信されたことに応じて前記前記応答信号が受信された場合には、前記第１アンテナおよび前記第２アンテナを切り換えるごとに前記送信電力を減少させ、前記応答信号が受信されなかった場合には、前記第１アンテナおよび前記第２アンテナを切り換えるごとに前記送信電力を増加させる、
請求項１に記載の無線通信装置。
【請求項１６】
他の通信装置と無線通信するための第１アンテナおよび第２アンテナを備える無線通信装置の送信電力制御方法であって、
前記第１アンテナおよび前記第２アンテナのいずれか一方を介して前記他の通信装置に要求信号を送信する送信ステップと、
前記要求信号を前記他の通信装置が受信するに応じて前記他の通信装置から送信される応答信号を受信する受信ステップと、
前記送信ステップが前記要求信号を送信するごとに前記第１アンテナおよび前記第２アンテナを切り替えるアンテナ制御ステップと、
前記アンテナ制御ステップが前記第１アンテナおよび前記第２アンテナを切り換えるごとに、前記送信ステップが前記要求信号を送信するための送信電力を増加または減少させる送信制御ステップと、
を有する送信電力制御方法。
【請求項１７】
他の通信装置と無線通信するための第１アンテナおよび第２アンテナと、
前記第１アンテナおよび前記第２アンテナのいずれか一方を介して前記他の通信装置に要求信号を送信する送信部と、
前記要求信号を前記他の通信装置が受信するに応じて前記他の通信装置から送信される応答信号を受信する受信部と、
前記送信部が前記要求信号を送信するごとに前記第１アンテナおよび前記第２アンテナを切り替えるアンテナ制御部と、
前記アンテナ制御部が前記第１アンテナおよび前記第２アンテナを切り換えるごとに、前記送信部が前記要求信号を送信するための送信電力を増加または減少させる送信制御部と、
を備える集積回路。
【請求項１８】
他の通信装置と無線通信するための第１アンテナおよび第２アンテナを備える無線通信装置の送信電力制御処理をコンピュータに実行させるプログラムであって、
前記第１アンテナおよび前記第２アンテナのいずれか一方を介して前記他の通信装置に要求信号を送信する送信ステップと、
前記要求信号を前記他の通信装置が受信するに応じて前記他の通信装置から送信される応答信号を受信する受信ステップと、
前記送信ステップが前記要求信号を送信するごとに前記第１アンテナおよび前記第２アンテナを切り替えるアンテナ制御ステップと、
前記アンテナ制御ステップが前記第１アンテナおよび前記第２アンテナを切り換えるごとに、前記送信ステップが前記要求信号を送信するための送信電力を増加または減少させる送信制御ステップと、
を有するプログラム。
【発明の詳細な説明】
【技術分野】
【０００１】
本発明は、無線通信ネットワークにおける送信ダイバーシチ方法に関し、複数のアンテナのいずれかを用いて通信先の通信装置にデータを送信するときの送信電力を制御する無線通信装置および無線通信方法に関する。
【背景技術】
【０００２】
近年、無線通信ネットワークにおいて、通信エリアの拡大または干渉波の影響の抑制などを目的として、通信装置が複数のアンテナを使用して通信する技術が知られている（この技術はダイバーシチ技術と呼ばれることがある）。【０００３】
このような複数のアンテナを持つ親局と複数台の子局とで構成された無線通信ネットワークにおいて、親局は、複数台の子局と通信するときに、複数のアンテナの中から、子局とデータ通信するために用いるアンテナを選択する必要がある。【０００４】
このとき、親局がアンテナを介して子局にデータを送信する際に、送信電力が小さいアンテナを選択することが望ましい。これは、親局の消費電力を低減できるとともに、他のネットワークに対して干渉波の影響を抑制できるためである。【０００５】
従来、送信電力の決定に関する方法として、親局で受信されるデータの受信レベルの大きさを検出し、この受信レベルに基づいて送信電力を決定する方法が開示されている（例えば、特許文献１）。
【先行技術文献】
【特許文献】
【０００６】
【特許文献１】特許第３０９０１０９号公報
【発明の概要】
【発明が解決しようとする課題】
【０００７】
しかしながら、上記特許文献１では、複数のアンテナを持つ通信装置が、相手の通信装置に対してより小さな送信電力でデータを送信するための方法、或いは、データ送信時に用いるアンテナの特定方法構成については開示されてない。【０００８】
本発明は、上記課題に鑑みてなされたものであり、複数のアンテナを持つ通信装置が、他の通信装置にデータを送信する際に、複数のアンテナの中から、より小さな送信電力でデータ送信できるアンテナを特定する無線通信装置および送信電力制御方法を提供することを目的とする。
【課題を解決するための手段】
【０００９】
本発明の一実施の形態に係る無線通信装置は、他の通信装置と無線通信するための第１アンテナおよび第２アンテナと、前記第１アンテナおよび前記第２アンテナのいずれか一方を介して前記他の通信装置に要求信号を送信する送信部と、前記要求信号を前記他の通信装置が受信するに応じて前記他の通信装置から送信される応答信号を受信する受信部と、前記送信部が前記要求信号を送信するごとに前記第１のアンテナおよび前記第２アンテナを切り替えるアンテナ制御部と、前記アンテナ制御部が前記第１アンテナおよび前記第２アンテナを切り換えるごとに、前記送信部が前記要求信号を送信するための送信電力を増加または減少させる送信制御部と、を備える。
【発明の効果】
【００１０】
本発明によると、他の通信装置にデータを送信する際に、複数のアンテナの中から、より小さな送信電力でデータ送信できるアンテナを特定することができる。
【図面の簡単な説明】
【００１１】
【図１】図１は、実施の形態１に係るシステム構成の一例を示す図である。
【図２】図２は、実施の形態１に係るシステム構成の具体的な適用例を示す図である。
【図３】図３は、実施の形態１における通信装置の機能ブロック構成の一例を示す図である。
【図４】図４は、実施の形態１における通信装置の送信電力制御処理の一例を示すフローチャートである。
【図５】図５は、実施の形態１における送信電力制御処理の概要を示す概念図である。
【図６】図６は、実施の形態１の変形例における通信装置の送信電力制御処理を示すフローチャートである。
【図７】図７は、実施の形態１の変形例を説明するための概念図である。
【図８】図８は、実施の形態１における発明の効果を説明するための図である。
【図９】図９は、第一アンテナおよび第二アンテナそれぞれで観測した受信レベルの変動の一例を示す図である。
【図１０】図１０は、実施の形態２における通信装置の送信電力制御処理の一例を示すフローチャートである。
【図１１】図１１は、実施の形態２における送信電力制御の処理の一例を示す図である。
【図１２】図１２は、実施の形態２の変形例における通信装置の送信電力制御処理を示すフローチャートである。
【図１３】図１３は、実施の形態３における通信装置の送信電力制御処理を示すフローチャートである。
【発明を実施するための形態】
【００１２】
（本発明の基礎となる知見）
（１）実施の形態に係る無線通信装置は、他の通信装置と無線通信するための第１アンテナおよび第２アンテナと、前記第１アンテナおよび前記第２アンテナのいずれか一方を介して前記他の通信装置に要求信号を送信する送信部と、前記要求信号を前記他の通信装置が受信するに応じて前記他の通信装置から送信される応答信号を受信する受信部と、前記送信部が前記要求信号を送信するごとに前記第１アンテナおよび前記第２アンテナを切り替えるアンテナ制御部と、前記アンテナ制御部が前記第１アンテナおよび前記第２アンテナを切り換えるごとに、前記送信部が前記要求信号を送信するための送信電力を増加または減少させる送信制御部と、を備える。
【００１３】
本態様によると、前記第１アンテナおよび前記第２アンテナを切り換えるごとに、前記送信部が前記要求信号を送信するための送信電力を増加または減少させる。これにより、複数のアンテナの中から、より小さな送信電力でデータ送信できるアンテナを特定することができる。
【００１４】
（２）（１）において、前記送信制御部は、アンテナ制御部が前記第１アンテナおよび前記第２アンテナを切り替えるごとに、前記要求信号を送信するための送信電力を増加させる、としても構わない。
【００１５】
なお、複数のアンテナを切り替えてデータ送信を行う送信ダイバー方式において、全てのアンテナを用いてではなく、いずれか１本のアンテナを用いて他の通信装置と通信する場合、この１本のアンテナの送信電力が高くなるほど消費電力が増加するので、より小さな送信電力で他の通信装置と通信可能なアンテナを特定する必要がある。
【００１６】
このとき、他の通信装置との通信に使用する当該１本のアンテナおよびその送信電力を特定するための探索時間が長いほど、帯域占有率が増加し、結果として消費電力や通信トラフィックが増大するという問題が生じる。
【００１７】
そのため、複数のアンテナの中から、他の通信装置と通信可能なアンテナと、このアンテナを用いたときに必要な送信電力とを特定するための探索時間を低減することが望ましい。
【００１８】
（３）そこで、（２）において、前記送信制御部は、前記第１アンテナおよび前記第２アンテナのうちのいずれか一方のアンテナを介して第１の送信電力で前記送信要求を送信することにより前記受信部が前記応答信号を受信した場合、当該第１の送信電力よりも小さい電力であって、且つ、当該一方のアンテナを用いて前記要求信号を送信するために前回設定した送信電力よりも大きい電力である第２の送信電力を設定し、前記送信部は当該一方のアンテナを用いて前記第２の送信電力で前記要求信号を送信する、としても構わない。
【００１９】
本態様によると、他の通信装置にデータを送信する際に用いるアンテナの特定時間を従来よりも短縮しつつ、このアンテナの送信電力を極力小さく設定できる。これにより、帯域占有率が増加するのを抑制でき、結果として消費電力及び通信トラフィックを抑制できる。
【００２０】
（４）（３）において、前記受信部は、受信した前記応答信号の信号強度を検出し、前記送信制御部は、前記信号強度が大きいほど前記第２の送信電力を小さく設定する、としても構わない。
【００２１】
（５）（３）または（４）において、前記アンテナ制御部は、前記一方のアンテナを用いて前記応答信号を前記受信部が受信した後、前記送信部が前記要求信号を送信する場合に、前記他方のアンテナに切り替えずに連続して前記一方のアンテナを設定する、としても構わない。
【００２２】
（６）（３）において、前記送信制御部は、前記一方のアンテナを介して前記受信部が前記応答信号を受信できた場合、前記第１アンテナおよび前記第２アンテナのうちの前記応答信号をまだ受信していない他方のアンテナを使用したときに設定した直近の送信電力を前記第２の送信電力として設定する、としても構わない。
【００２３】
（７）（３）〜（６）において、前記送信部が前記１方のアンテナを介して前記第２の送信電力で前記要求信号を送信することにより、前記受信部が前記要求信号を受信できなかった場合、前記送信制御部は、前記他の通信装置との通信に使用する送信電力を前記第１の送信電力に設定し、前記受信部が前記要求信号を受信できた場合、前記アンテナ制御部は、前記他の通信装置との通信に使用する送信電力を前記第２の送信電力に設定する、としても構わない。
【００２４】
（８）（１）において、前記送信制御部は、前記受信部が前記第１アンテナおよび前記第２アンテナを介して前記応答信号を受信できている間は、前記アンテナ制御部が前記第１アンテナおよび前記第２アンテナを切り替えるごとに、前記要求信号を送信するための送信電力を減少させる、としても構わない。
【００２５】
（９）（８）において、前記送信制御部は、前記第１アンテナおよび前記第２アンテナのどちらのアンテナを使用しても前記受信部で前記応答信号を受信不可能になった場合、前記受信部で前記応答信号を受信可能であったときに最後に設定した送信電力を、前記他の通信装置との通信に用いる送信電力として決定する、としても構わない。
【００２６】
（１０）（９）において、前記第１アンテナおよび前記第２アンテナのいずれか１方のアンテナを介して前記送信部が前記送信要求を送信して前記受信部で前記応答信号を受信できなくなった場合、前記送信部は、当該送信要求の送信時に用いた送信電力と同じ送信電力で、他方のアンテナを介して前記送信要求を送信し、前記受信部で前記応答信号が受信できなくなるまで、前記一方のアンテナに切り替えずに当該他方のアンテナを介して前記送信要求を送信し、前記他方のアンテナを介して前記送信要求を送信するごとに前記送信電力を下げる、としても構わない。
【００２７】
（１１）（１）〜（１０）において、前記送信電力の初期値は、前記無線通信装置の施工登録時に設定した電力である、としても構わない。
【００２８】
（１２）（２）〜（７）において、前記送信電力の初期値は、前記無線通信装置が出力可能な最小電力である、としても構わない。
【００２９】
（１３）（８）〜（１０）において、前記送信電力の初期値は、前記無線通信装置が出力可能な最大電力である、としても構わない。
【００３０】
（１４）（１）において、前記送信電力の初期値は、前記無線通信装置が出力可能な送信電力の中央値である、としても構わない。
【００３１】
（１５）（１）において、前記送信制御部は、前記初期値の送信電力で前記要求信号が送信されたことに応じて前記前記応答信号が受信された場合には、前記第１アンテナおよび前記第２アンテナを切り換えるごとに前記送信電力を減少させ、前記応答信号が受信されなかった場合には、前記第１アンテナおよび前記第２アンテナを切り換えるごとに前記送信電力を増加させる、としても構わない。
【００３２】
（１６）実施の形態に係る送信電力制御方法は、他の通信装置と無線通信するための第１アンテナおよび第２アンテナを備える無線通信装置の送信電力制御方法であって、前記第１アンテナおよび前記第２アンテナのいずれか一方を介して前記他の通信装置に要求信号を送信する送信ステップと、前記要求信号を前記他の通信装置が受信するに応じて前記他の通信装置から送信される応答信号を受信する受信ステップと、前記送信部が前記要求信号を送信するごとに前記第１アンテナおよび前記第２アンテナを切り替えるアンテナ制御ステップと、前記アンテナ制御ステップが前記第１アンテナおよび前記第２アンテナを切り換えるごとに、前記送信ステップが前記要求信号を送信するための送信電力を増加または減少させる送信制御ステップと、を有する。
【００３３】
（１７）実施の形態に係る集積回路は、他の通信装置と無線通信するための第１アンテナおよび第２アンテナと、前記第１アンテナおよび前記第２アンテナのいずれか一方を介して前記他の通信装置に要求信号を送信する送信部と、前記要求信号を前記他の通信装置が受信するに応じて前記他の通信装置から送信される応答信号を受信する受信部と、前記送信部が前記要求信号を送信するごとに前記第１アンテナおよび前記第２アンテナを切り替えるアンテナ制御部と、前記アンテナ制御部が前記第１アンテナおよび前記第２アンテナを切り換えるごとに、前記送信部が前記要求信号を送信するための送信電力を増加または減少させる送信制御部と、を備える。
【００３４】
（１８）実施の形態に係るプログラムは、他の通信装置と無線通信するための第１アンテナおよび第２アンテナを備える無線通信装置の送信電力制御処理をコンピュータに実行させるプログラムであって、前記第１アンテナおよび前記第２アンテナのいずれか一方を介して前記他の通信装置に要求信号を送信する送信ステップと、前記要求信号を前記他の通信装置が受信するに応じて前記他の通信装置から送信される応答信号を受信する受信ステップと、前記送信ステップが前記要求信号を送信するごとに前記第１アンテナおよび前記第２アンテナを切り替えるアンテナ制御ステップと、前記アンテナ制御ステップが前記第１アンテナおよび前記第２アンテナを切り換えるごとに、前記送信ステップが前記要求信号を送信するための送信電力を増加または減少させる送信制御ステップと、を有する。
【００３５】
以下、本発明の実施の形態について、図面を参照しながら説明する。
【００３６】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する趣旨ではない。また、以下の実施の形態における構成要素のうち、最上位概念を示す独立請求項に記載されていない構成要素については、任意の構成要素として説明される。
【００３７】
（実施の形態１）
実施の形態１において、２本の通信アンテナを備え、複数の他の通信装置である複数の子局への無線通信を行う際の送信電力を適切に設定する方法について説明する。本実施の形態における通信装置の送信電力の設定方法は、無線通信の各種の規格に適用することが可能である。例えばＩＥＥＥ８０２．１５．４に適用可能であるが、これに限られるものではない。
【００３８】
図１は、実施の形態１に係るシステム構成の一例を示す図である。
【００３９】
図１に示されるシステムは、親局１０１と、子局Ａ１１１と、子局Ｂ１１２と、子局Ｃ１１３と、子局Ｄ１１４とを含む。
【００４０】
親局１０１は、少なくとも２つのアンテナを有し、アンテナを切り換えることにより、子局Ａ１１１、子局Ｂ１１２、子局Ｃ１１３および子局Ｄ１１４と無線通信する。
【００４１】
子局Ａ１１１〜子局Ｄ１１４はアンテナを１つだけ有する構成であってもよいし、アンテナを複数有する構成であってもよい。
【００４２】
図２は、実施の形態１に係るシステム構成の適用例を示す図である。
【００４３】
図２に示されるシステム２００は、一般家庭に構築される家庭内ネットワーク２１０を介して、親局２２０が、太陽光発電装置２３０、蓄電池２４０、燃料電池２５０、エアコン２６０、および、テレビ２７０と接続される。太陽光発電機２３０、蓄電池２４０、燃料電池２５０、エアコン２６０およびテレビ２７０は、無線通信機能を有する子局の一例である。
【００４４】
図３は、実施の形態１に係る通信装置の機能ブロック構成の一例を示す図である。ここでは、通信装置が図１または図２に示す親局である場合を例として説明する。
【００４５】
図３に示されるように、本実施の形態１に係る通信装置１は、第一アンテナ２と、第二アンテナ３と、切替部４と、送信部５と、受信部６と、アンテナ制御部７と、通信レベル取得部８と、送信制御部９と、記憶部１０と、判定部１１とを備える。
【００４６】
第一アンテナ２および第二アンテナ３は、それぞれ無線通信に係る電波を送受信する。
【００４７】
切替部４は、データの送信時および受信時において用いるアンテナを切り替える。つまり、切替部４は、送信部５によるデータ送信又は受信部６によるデータ受信において、第一アンテナ２と第二アンテナ３とを切り換える切替スイッチである。この切換え制御はアンテナ制御部７によって行われる。
【００４８】
なお、切替部４は、実施の形態１では、送信部５による送信と、受信部６による受信とが同時にできない構成であるが、これに限定されない。例えば、第一アンテナ２および第二アンテナ３の一方を送信用のアンテナとなるように切り換え、他方を受信用のアンテナとなるように切り換えることができるような構成とし、送信部５による送信と、受信部６による受信とを同時に行うようにしてもよい。
【００４９】
送信部５は、第一アンテナ２および第二アンテナ３のうちのいずれか一方を用いて、各子局にデータを送信する。即ち、図２において、送信部５は、太陽光発電装置２３０と、蓄電池２４０、燃料電池２５０、エアコン２６０、テレビ２７０に所定のデータを送信する。ここで、この所定のデータとは、例えば、子局が無線ネットワーク２１０に接続するために使用されるデータである。
【００５０】
受信部６は、第一アンテナ２および第二アンテナ３のうちのいずれか一方を用いて、各子局２３０〜２７０からデータを受信する。
【００５１】
例えば、受信部６は、送信部５によりユニキャスト送信されたデータを子局が受信した場合に当該子局から送信される応答情報であるＡＣＫ（Ａｃｋｎｏｗｌｅｄｇｅｍｅｎｔ）を第一アンテナ２および第二アンテナ３のうちのいずれか一方のアンテナを用いて受信する。
【００５２】
もちろん、受信部６は、ＡＣＫの他にも送信部５が送信したデータが例えば電力消費量を要求するデータであれば、当該要求に対する応答として子局から送信される電力消費量を示すデータを受信する。つまり、受信部は、複数のアンテナのうちのいずれかを用いて他の通信装置からデータを受信する。
【００５３】
アンテナ制御部７は、送信部５から送信される要求信号、或いは、受信部６において受信される応答信号に応じて切換部４を制御することにより、第一アンテナ２と第二アンテナ３とを切り替える。
【００５４】
通信レベル取得部８は、受信部６が子局２３０〜２７０のそれぞれからＡＣＫを受信したときの受信レベルを第一アンテナ２、第二アンテナ３ごとに取得する。この受信レベルを示す値は、例えば、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）である。
【００５５】
送信制御部９は、送信部５がデータを送信する際に用いるアンテナの送信電力を制御する。送信制御部９は、アンテナが切り替えられるごとに送信電力を増加または減少させる。
【００５６】
送信電力を増加または減少させるか否かは、記憶部１０に記憶されているアンテナテーブルの情報を基に、判定部１１が決定する。つまり、例えば、通信レベル取得部８で取得された、子局２３０〜２７０のそれぞれから受信したＡＣＫのＲＳＳＩと、記憶部１０に予め記憶されている任意の電力閾値とを判定部１１は比較し、ＲＳＳＩが閾値レベルを下回っていた場合は、当該子局が遠くにいると判定し、送信電力を増加させる。一方で、閾値レベルを上回っていた場合は、当該子局が近くにいると判定し、送信電力を減少させる。
【００５７】
判定部１１は、予め記憶部１０に記憶されている任意の電力閾値と通信レベル取得部８で得られたＲＳＳＩとを比較して、送信電力を増加あるいは減少させていく場合の初期値を決定したり、送信電力を増加あるいは減少させるか否かを決定する。
【００５８】
図４は、実施の形態１における通信装置１の送信電力制御処理一例を示すフローチャートである。なお、以下では通信装置１は、図１に示す親局１０１または図２に示す親局２２０として説明する。
【００５９】
まず、通信装置１において判定部１１は、送信電力Ｐ＝初期値Ｐ０と設定する（Ｓ１００）。
【００６０】
次に、判定部１１は、送信電力Ｐと、送信電力の最大値Ｐｍａｘとを比較する（Ｓ１０１）。Ｓ１０１において、送信電力ＰがＰｍａｘ以上と判断されれば（Ｓ１０１：Ｎｏ）、通信装置１はその旨をユーザに通知し（Ｓ１０２）、判定部１１は初期値Ｐ０を更新する。ここで、Ｐｍａｘは、通信装置１に搭載される無線ＩＣ（Ｉｎｔｅｇｒａｔｅｄ  Ｃｉｒｃｕｉｔ）で出力可能な最大送信電力または、法律で規制されている送信電力である。
【００６１】
なお、ユーザへの通知（Ｓ１０２）の後に当該処理が終了されるとしてもよい。
【００６２】
一方、Ｓ１０１において、送信電力Ｐが、Ｐｍａｘより小さいと判断されれば（Ｓ１０１：Ｙｅｓ）、送信部５は、第一アンテナ２及び第二アンテナ３のいずれか一方のアンテナを用いて、相手子局に送信電力Ｐでデータを送信する（Ｓ１０３）。
【００６３】
データ送信（Ｓ１０３）の後、受信部６は相手子局からのＡＣＫを受信したか否かを判定する（Ｓ１０４）。ここでＡＣＫの受信が確認されなければ（Ｓ１０４：Ｎｏ）、アンテナ制御部７はアンテナを他方へ切り替える（Ｓ１０５）。
【００６４】
アンテナが切替えられた（Ｓ１０５）の後、送信制御部９は、データを送信した送信電力値に任意の電力量ΔＰを加え（Ｓ１０６）、ステップＳ１０１の処理へ戻る。
【００６５】
一方、ＡＣＫの受信が確認されれば（Ｓ１０４：Ｙｅｓ）、通信装置１はそのときの送信電力Ｐ１を記憶部１０に記憶させる（Ｓ１０７）。
【００６６】
次に、送信制御部９は、送信電力Ｐ１から前記任意の電力量ΔＰを引いた送信電力Ｐ２を設定する（Ｓ１０８）。
【００６７】
次に、送信部５は、当該アンテナを用いて、相手子局に送信電力Ｐ２でデータを送信する（Ｓ１０９）。
【００６８】
次に、受信部６は、相手子局からＡＣＫを受信したか否かを判定する（Ｓ１１０）。ＡＣＫの受信が確認されなければ（Ｓ１１０：Ｎｏ）、判定部１１は、当該アンテナを用いて、ステップＳ１０７において記憶された送信電力Ｐ１で、以降相手子局にデータを送信することを決定して（Ｓ１１１）、当該処理を終了する。一方、ＡＣＫの受信が確認されれば（Ｓ１１０：Ｙｅｓ）、判定部１１は、当該アンテナを用いて、送信電力Ｐ２で以降相手子局にデータを送信することを決定して（Ｓ１１２）、当該処理を終了する。
【００６９】
図５は、図４で説明した、通信装置１の送信電力制御の処理の概要を示す概念図である。
【００７０】
図５に示すＡＮＴ１は第一アンテナ２、ＡＮＴ２は第二アンテナ３を示す。また、グラフの横軸は時間、縦軸は送信電力をそれぞれ示す。
【００７１】
図５において、通信装置１は、例えば、時刻Ｔ１で、第一アンテナを用いて相手子局に送信電力Ｐ０（初期値）でデータを送信する。
【００７２】
データを送信後、通信装置１は、ある任意の時間Ｔ０の間に相手子局からＡＣＫを受信するのを待つ。通信装置１は、ＡＣＫを受信できなければ、時間Ｔ２でアンテナを第二アンテナに切替えて、送信電力をＰ０に任意の電力量ΔＰを加えて再度データを送信する。
【００７３】
通信装置１は、この処理を、第一アンテナおよび第二アンテナのいずれか１方のアンテナを用いてＡＣＫが受信できるまで繰り返す（図４のＳ１０１〜１０６）。
【００７４】
そして、通信装置１は、例えば、時刻Ｔ２ｎで第二アンテナを用いて送信電力Ｐ１でデータを送信し、ＡＣＫを受信したとする。このとき、第一アンテナでは、時刻Ｔ２ｎ−１において、送信電力Ｐ２（＝Ｐ１−ΔＰ）ではＡＣＫを受信できなかったことを確認しているが、第二アンテナでは、送信電力Ｐ２でＡＣＫを受信できたか否かを確認していないため、時刻Ｔ２ｎ＋１で第二アンテナから送信電力Ｐ２でデータを送信する。つまり、時刻Ｔ２ｎの後、第二アンテナから第一アンテナにアンテナを切り替えずに、時刻Ｔ２ｎ＋１で再度第二アンテナを用いてデータを送信する。
【００７５】
その後、図５（ａ）に示すように通信装置１は、相手子局からＡＣＫを受信できた場合は、相手子局へのデータ送信時の送信電力をＰ２と決定し、図５（ｂ）に示すように、ＡＣＫを受信できなかった場合は送信電力をＰ１と決定する。
【００７６】
なお、本実施の形態においては、時刻Ｔ２ｎ＋１における第二アンテナの送信電力をＰ２（第一アンテナを用いてデータを送信したときの直近の送信電力）としたが、本実施の形態は、この場合に限らない。時刻Ｔ２ｎ＋１の時点における第二アンテナを用いた送信電力は、図５のＰ３、即ち時刻Ｔ２ｎ−２の時点における第二アンテナを用いた送信電力より大きく、且つ、Ｐ１より小さい電力であれば良い。
【００７７】
（実施の形態１の変形例１）
以下、本発明の実施の形態１の変形例１について図６を用いて説明する。
【００７８】
図６は、実施の形態１の変形例１における通信装置１の送信電力制御処理を示すフローチャートである。図６については、図４と異なる部分のみを説明し、同じ処理を行うステップの説明は省略する。
【００７９】
図６について、図４と異なる処理は、相手子局からのＡＣＫの受信レベルを通信レベル取得部８で取得して記憶部１０に記憶するステップ（Ｓ１１３）、および、判定部１１でそのＡＣＫの受信レベルに応じて電力量ΔＰの大きさを調整するステップ（Ｓ１１４）を有する点である。即ち、上記実施の形態１では、通信装置１は、図５の時刻Ｔ２ｎで第二アンテナを用いて送信電力Ｐ１でＡＣＫを受信した後、時刻Ｔ２ｎ＋１で再度第二アンテナを用いてデータを送信する際、第一アンテナを用いてデータを送信したときの直近（時刻Ｔ２ｎ−１）の送信電力Ｐ２でデータを送信した。これに対して本変形例では、時刻Ｔ２ｎ＋１で再度第二アンテナを用いてデータを送信する際、その送信電力を時刻Ｔ２ｎ−１で第一アンテナを用いてデータ送信したときの送信電力Ｐ２に固定するのではなく、時刻Ｔ２ｎで受信したＡＣＫの受信レベルに応じて変更する。
【００８０】
Ｓ１１４において、例えば、ＡＣＫの受信レベルが大きい場合は、送信電力Ｐ１およびＰ２の間で電力量ΔＰを小さくし、ＡＣＫの受信レベルが小さい場合は、電力量ΔＰを大きくなるように調整する。つまり、送信電力を減少させる電力量ΔＰを、ＡＣＫの受信レベルに応じて調整することで、送信電力を極力小さな値に設定できる。
【００８１】
（実施の形態１の変形例２）
以下、本発明の実施の形態１の変形例２について図７を用いて説明する。
【００８２】
図７は、実施の形態１の変形例２における通信装置１の送信電力制御の概要を示す概念図である。図７に示すＡＮＴ１は第一アンテナ２、ＡＮＴ２は第二アンテナ３をそれぞれ示す。また、グラフの横軸は時間、縦軸は送信電力をそれぞれ示す。
【００８３】
本変形例では、図７において、第一アンテナ、および、第二アンテナを交互に切替える点では図４、図５に示す処理と同じであるが、時刻Ｔ１で第一アンテナを用いてデータを送信した後、ＡＣＫを受信できない場合には、時刻Ｔ２において、時刻Ｔ１で使用した送信電力Ｐ０と同じ送信電力で第二アンテナを用いてデータを送信する。そして、第二アンテナを用いても送信電力Ｐ０で相手子局からＡＣＫを受信できない場合は、第一アンテナに切り替え、送信電力をＰ１（＝Ｐ０＋ΔＰ）に増加させてデータを送信する（時刻Ｔ３）。このステップを相手子局からのＡＣＫが受信できるまで繰り返す。
【００８４】
図７では、時刻Ｔ６で第二アンテナを用いて送信電力Ｐ２でデータを送信した場合に相手子局からＡＣＫを受信することができたので、相手子局とは送信電力Ｐ２で第二アンテナを用いて無線通信を行う。
【００８５】
（作用）
図８は、実施の形態１における通信装置の効果を説明するための概念図である。図８（ａ）は、実施の形態１の送信電力制御と従来技術とを比較するための図である。図８（ｂ）は、実施の形態１における送信電力制御の一例、図８（ｃ）は、実施の形態１の変形例２における送信電力制御の一例をそれぞれ示す。前提として、第一アンテナが第二アンテナに比べてフェージングなどの影響により性能が劣化していると仮定し、第二アンテナを用いて送信電力Ｐ２で通信可能としている。ここで、フェージングなどの影響により、第一アンテナ、および、第二アンテナの性能差が発生するメカニズムについて説明する。
【００８６】
図９は、第一アンテナ２および第二アンテナ３それぞれで観測した受信レベルの変動の一例を示す図である。図９に示される一例は、通信装置１を任意の方向に動かしたときの受信電力を示した結果であり、横軸は時間を示している。この結果から、通信装置１の位置に応じて、それぞれのアンテナでの受信電力は常に一定ではなく、周辺の電波の干渉など周辺環境が変化すれば受信電力も時間的に少なくともおよそ数十ｄＢ単位で変動することがわかる。送信に関しても同様に、同じ送信電力でデータを送信する際に、第一アンテナと第二アンテナとで相手子局における受信電力は異なる。
【００８７】
図８に話を戻すと、例えば、第一アンテナで送信したときの相手子局の受信電力が小さい場合、周辺環境が変化しなければ受信電力が小さい状態が継続する可能性がある。
【００８８】
この場合、図８（ａ）に示すように、第一アンテナだけを用いて送信電力を増加させながらＡＣＫを検出する処理を行うと、ＡＣＫを受信できない時間が長時間続く。その後、アンテナを第二アンテナに切り替え、送信電力を増加させていくことによりＡＣＫを受信できたとしても、アンテナおよび送信電力の特定に時間がかかる。
【００８９】
一方、図８（ｂ）および図８（ｃ）のように、データを送信するごとにアンテナを切り替えることにより、いずれか１方のアンテナの受信電力が小さい場合でも、相手子局と通信できるアンテナと、望ましい送信電力とをより早く特定することができる。
【００９０】
図８（ｂ）においては、時刻Ｔ４で第二アンテナを用いて送信電力Ｐ３でデータを相手子局に送信し、これに対するＡＣＫを受信したため、第二アンテナは、その前の時刻Ｔ３で第一アンテナを使用してデータを送った際の送信電力Ｐ２では、データを送信していない。そこで、時刻Ｔ５で、第二アンテナを用いて、送信電力Ｐ２でデータを送信する。そして、時刻Ｔ５でのデータ送信に対してＡＣＫを受信したので、アンテナおよび送信電力の組み合わせを、第二アンテナおよびＰ２と決定する。
【００９１】
一方、図８（ｃ）においては、時間Ｔ６で第二アンテナおよび送信電力Ｐ２の条件でＡＣＫを受信しているが、時間Ｔ５で第一アンテナおよび送信電力Ｐ２の条件、時間Ｔ４で第二アンテナおよび送信電力Ｐ１の条件でＡＣＫを受信できていない。このため、アンテナと送信電力の組み合わせを、第二アンテナおよびＰ２と決定する。
【００９２】
結果として、図８（ｂ）では、アンテナおよび送信電力を時間Ｔ５で決定しているのに対して、図８（ｃ）では、時間Ｔ６で決定している。即ちこの場合においては、図８（ｂ）の方がより早くアンテナと必要な送信電力を決定することができる。
【００９３】
以上、実施の形態１に係る通信装置１およびその通信方法（アンテナの決定方法および送信電力の決定方法）について説明した。なお、上記実施の形態１では、通信装置１のアンテナが２本の場合を例に説明したが、通信装置１のアンテナが３本以上備える場合についても、本発明を適用できる。
【００９４】
なお、実施の形態１にかかる通信装置１は、図１に示す複数のアンテナを備える親局１０１のみならず、複数のアンテナを有する子局Ａ１１１、子局Ｂ１１２にも適用できる。
【００９５】
（実施の形態２）
上記実施の形態１に係る通信装置１は、図４で説明したように、アンテナを交互に切替えるごとに送信電力を初期値から増加させた。実施の形態２では、アンテナを交互に切り替えるごとに送信電力を初期値から減少させる。
【００９６】
以下、図１０および図１１を用いて実施の形態２について説明する。
【００９７】
図１０は、実施の形態２における通信装置１の送信電力制御処理を示すフローチャートである。
【００９８】
まず、通信装置１において判定部１１は、初期値として送信電力Ｐ＝最大電力Ｐｍａｘと設定する（Ｓ２００）。Ｐｍａｘについては、実施の形態１と同様、通信装置１に搭載される無線ＩＣで出力可能な最大送信電力または、法律で規制されている送信電力である。
【００９９】
次に、判定部１１は、送信電力Ｐが、送信電力の最小値Ｐｍｉｎであるか否かを判定する（Ｓ２０１）。Ｓ２０１において、Ｐ＝Ｐｍｉｎであれば（Ｓ２０１：Ｙｅｓ）、第一アンテナ２および第二アンテナ３のいずれか一方のアンテナを用いて、送信電力Ｐ＝Ｐｍｉｎで、以降相手子局にデータを送信することを決定する（Ｓ２０２）。一方、Ｐ＝Ｐｍｉｎでなければ（Ｓ２０１：Ｎｏ）、送信部５は、第一アンテナ２および第二アンテナ３のいずれか一方のアンテナを用いて、データを相手子局に送信する（Ｓ２０３）。ここで、Ｐｍｉｎは、通信装置１に搭載される無線ＩＣで出力可能な最小送信電力または、法律で規制されている最小の送信電力である。
【０１００】
次に、データ送信（Ｓ２０３）の後に、受信部６は相手子局からのＡＣＫを受信したか否かを判定する（Ｓ２０４）。ここでＡＣＫの受信が確認されれば（Ｓ２０４：Ｙｅｓ）、送信制御部９はデータを送信したときの送信電力Ｐから電力量ΔＰを引いて（Ｓ２０５）、アンテナ制御部７はアンテナを他方へ切り替える（Ｓ２０６）。
【０１０１】
その後、このＳ２０１〜Ｓ２０６までの処理をＳ２０４でＡＣＫの受信が確認されなくなるまで通信装置１は繰り返す。
【０１０２】
次に、ステップＳ２０４で、ＡＣＫの受信が確認されなければ（Ｓ２０４：Ｎｏ）、アンテナ制御部７は、アンテナを他方へ切り替える（Ｓ２０７）。
【０１０３】
Ｓ２０７の後、判定部１１は、そのとき、即ちＡＣＫの受信が確認されなかったとき（Ｓ２０４：Ｎｏ）の送信電力Ｐａが、最小送信電力Ｐｍｉｎであるか否かを判定する（Ｓ２０８）。判定部１１は、送信電量ＰａがＰａ＝Ｐｍｉｎであれば（Ｓ２０８：Ｙｅｓ）、当該アンテナを用いて、送信電力Ｐｍｉｎで、以降相手子局にデータを送信することを決定し（Ｓ２０２）、当該処理を終了する。一方、Ｐａ＝Ｐｍｉｎでなければ（Ｓ２０８：Ｎｏ）、送信部５は、当該アンテナを用いて送信電力Ｐａでデータを送信し（Ｓ２０９）、記憶部１０はそのときの送信電力Ｐａを記憶する（Ｓ２１０）。
【０１０４】
Ｓ２１０の後、受信部６は相手子局からのＡＣＫを受信したか否かを判定する（Ｓ２１１）。ここでＡＣＫの受信が確認されれば（Ｓ２１１：Ｙｅｓ）、送信制御部９は送信電力Ｐａから電力量ΔＰを引いて（Ｓ２１２）、ステップＳ２０８へ戻る。一方、ＡＣＫの受信が確認されなければ（Ｓ２１１：Ｎｏ）、判定部１１は、当該アンテナを用いて、送信電力Ｐａで、以降相手子局にデータを送信することを決定し（Ｓ２１３）、当該処理を終了する。
【０１０５】
図１１は、図１０で説明した送信電力制御の処理の概要を示す概念図である。
【０１０６】
図１１に示すＡＮＴ１は第一アンテナ２、ＡＮＴ２は第二アンテナ３を示す。また、グラフの横軸は時間、縦軸は送信電力をそれぞれ示す。
【０１０７】
図１１（ａ）において、通信装置１は、時刻Ｔ１で第一アンテナを用いて送信電力Ｐｍａｘ（初期値）でデータを送信する。その後、通信装置１は、ある任意の時間Ｔ０の間に相手子局からＡＣＫを受信するのを待つ。ＡＣＫを受信できたら、通信装置１は、使用するアンテナを第二アンテナに切替えて、時間Ｔ２で、Ｐｍａｘから任意の電力量ΔＰを引いた送信電力Ｐｍａｘ−１でデータを送信する。この処理を、ＡＣＫが受信できなくなるまで繰り返す。
【０１０８】
時間Ｔ２ｎで第二アンテナから送信電力Ｐｍａｘ−（２ｎ）でデータを送信し、前記時間Ｔ０の間でＡＣＫを受信することができないので、アンテナを第一アンテナへ切替えて、時間Ｔ２ｎ＋１で送信電力Ｐｍａｘ−（２ｎ）でデータを送信する。
【０１０９】
このとき、ＡＣＫを受信することができているため、通信装置１は、アンテナを第二アンテナに切り替えずに、第一アンテナを継続して用いて、ＡＣＫが受信できなくなるまで送信電力をΔＰ引きながら送信する。
【０１１０】
通信装置１は、時間Ｔａ＋１でＡＣＫを受信できなくなったので、その直前の時間Ｔａで設定した送信電力Ｐａを相手子局との通信が可能な最小の送信電力であると判断して、相手子局との通信する際の送信電力をＰａと決定する。
【０１１１】
一方、図１１（ｂ）の時刻Ｔ２ｎ−１において、第一アンテナを用いて、送信電力Ｐｂでデータを送信したときにはＡＣＫを受信することができているが、時間Ｔ２ｎにおいて、第二アンテナを用いて、送信電力を直前の送信電力ＰｂからΔＰを引いてデータを送信すると、ＡＣＫを受信することができていない。この場合、第一アンテナではＰｂからΔＰを引いた送信電力ＰｃでＡＣＫを受信することができる可能性があるので、通信装置１は、時刻Ｔ２ｎ＋１において送信電力Ｐｃでデータ送信する。ところが、この場合でもＡＣＫを受信することができないので、最後にＡＣＫを受信できた第一アンテナと送信電力をＰｂの組み合わせで、以降相手子局にデータを送信することを決定する。
【０１１２】
（実施の形態２の変形例）
図１２は、実施の形態２の変形例における通信装置１の送信電力制御処理を示すフローチャートである。
【０１１３】
図１２については、図１０と異なる部分のみを説明し、同じ処理を行うステップの説明は省略する。図１２について図１０と異なる部分は、相手子局からのＡＣＫの受信レベルに応じて減少させる電力量ΔＰの大きさを決定するステップ（Ｓ２１４、及び、Ｓ２１５）を有する点である。
【０１１４】
Ｓ２１４において、例えばＡＣＫの受信レベルが大きい場合は、相手子局が近くにいると判断し、減少させる電力量ΔＰを大きく設定する。一方、ＡＣＫの受信レベルが小さい場合は、相手子局が遠くにいると判断できるので、減少させる電力量ΔＰを小さく設定する。つまり、送信電力を減少させる電力量ΔＰを、ＡＣＫの受信レベルに応じて調整することで、送信電力を極力小さな値に設定できる。
【０１１５】
なお、実施の形態２にかかる通信装置１のアンテナが３本以上備える場合についても、本発明を適用できる。
【０１１６】
（実施の形態３）
図１３は、実施の形態３における通信装置１の送信電力制御処理を示すフローチャートである。
【０１１７】
まず、本実施の形態において、通信装置１において判定部１１は、送信電力Ｐの初期値Ｐ０を、前述したＰｍａｘとＰｍｉｎの中間値（Ｐｍａｘ＋Ｐｍｉｎ）／２と設定する（Ｓ３００）。このように設定することで、所望の送信電力に早く到達することができる可能性が高くなる。
【０１１８】
次に、送信部５は、第一アンテナ２および第二アンテナ３のいずれか一方のアンテナを用いて、そのときの送信電力Ｐ＝Ｐ０で相手子局にデータを送信する（Ｓ３０１）。続いて、受信部６は、データ送信（Ｓ３０２）の後に相手子局からのＡＣＫを受信したか否かを判定する（Ｓ３０２）。ここでＡＣＫの受信が確認されれば（Ｓ３０２：Ｙｅｓ）、図１０のフローにおけるＳ２０５へ移行し、通信装置１は、第一アンテナおよび第二アンテナを切り替えるごとに、データを送信するための送信電力を減少させながら、送信アンテナ及び送信電力を決定する（Ｓ３０４）。一方、相手子局からのＡＣＫの受信が確認されなければ（Ｓ３０２：Ｎｏ）、図４のフローにおけるＳ１０５へ移行し、通信装置１は、第一アンテナおよび第二アンテナを切り替えるごとに、データを送信するための送信電力を増加させながら、送信アンテナ及び送信電力を決定する。
【０１１９】
ここで、図４のフローおよび図１０のフローについては、実施の形態１および実施の形態２でそれぞれ説明しているため説明は省略する。
【０１２０】
なお、図４のフロー（Ｓ３０３）は、図６に示すフローであってもよい。また、図１０のフロー（Ｓ３０４）は、図１２に示すフローであってもよい。
【０１２１】
以上、本発明の各実施の形態について説明した。なお、実施の形態１〜３およびその変形例にかかる通信装置１を、図１に示す親局１０１および図２に示す親局２２０である場合を例に説明したが、本発明はこの場合に限らない。実施の形態１〜３およびその変形例にかかる通信装置１は、子局Ａ１１１、子局Ｂ１１２にも適用できる。
【０１２２】
なお、本願の実施の各形態の構成は、ＣＰＵやＭＰＵで動作するコンピュータに実行させるためのプログラムとして実現することもできる。またこのプログラムはＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体に記憶することもできる、或いはインターネットなどの伝送媒体を介して配信することもできる。
【０１２３】
なお、本願の実施の各形態の構成は、ＣＰＵやＭＰＵで動作するソフトウェア構成に限定されずに、典型的には集積回路であるＬＳＩ（Ｌａｒｇｅ  Ｓｃａｌｅ  Ｉｎｔｅｇｒａｔｉｏｎ）などのハードウェアで実現されているものとしてもよい。これらは、個別に１チップ化されていてもよいし、全ての構成又は一部の構成を含むように１チップ化されてもよい。集積回路は、集積度の違いにより、ＩＣ、システムＬＳＩ、スーパーＬＳＩ、ウルトラＬＳＩ等と呼称されることもある。また、集積回路の手法は、ＬＳＩに限定されるものではなく、専用回路又は汎用プロセッサを用いて実現してもよい。更に、ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成することができるリコンフィギュアラブル・プロセッサを利用してもよい。さらに半導体技術の進歩により、又は派生する別技術により現在の半導体技術に置き換わる集積回路化の技術が登場すれば、当然、その技術を用いて機能ブロックの集積化を行ってもよい。
【産業上の利用可能性】
【０１２４】
本発明は、複数のアンテナを備える通信装置が他の通信装置にデータ送信する際における送信電力の抑制に有用である。
【符号の説明】
【０１２５】
１  通信装置
２  第一アンテナ
３  第二アンテナ
４  切替部
５  送信部
６  受信部
７  アンテナ制御部
８  通信レベル取得部
９  送信制御部
１０  記憶部
１１  判定部
１００  システム
１０１  親局
１１１  子局Ａ
１１２  子局Ｂ
１１３  子局Ｃ
１１４  子局Ｄ
２００  システム
２１０  家庭内ネットワーク
２２０  親局
２３０  太陽光発電機
２４０  蓄電池
２５０  燃料電池
２６０  エアコン
２７０  テレビ
【図１】
2014147954.tif 000003
【図２】
2014147954.tif 000004
【図３】
2014147954.tif 000005
【図４】
2014147954.tif 000006
【図５】
2014147954.tif 000007
【図６】
2014147954.tif 000008
【図７】
2014147954.tif 000009
【図８】
2014147954.tif 000010
【図９】
2014147954.tif 000011
【図１０】
2014147954.tif 000012
【図１１】
2014147954.tif 000013
【図１２】
2014147954.tif 000014
【図１３】
2014147954.tif 000015
【国際調査報告】
2014147954.tif 000016
2014147954.tif 000017